(57)【特許請求の範囲】
【請求項１】
遊技盤と、遊技状況に応じて各種演出画像を表示可能な表示領域を有する表示装置と、前記表示装置の前記表示領域を遮蔽及び開放可能とするシャッター装置とを備えた遊技機において、
前記シャッター装置は、
複数のリンク部材の連係により環状をなす径方向に拡縮変動可能な無端状のリンク機構と、
前記リンク機構を拡縮変動させる駆動手段と、
前記リンク機構の前面に設けられ、所定の形状をなす複数の遮蔽部材とを含み、
前記複数の遮蔽部材は、前記駆動手段により前記リンク機構が縮径状態に変動すると、前記リンク機構に従動して前記表示領域の中央部分に向けて集結することによって所定の形状を形成して前記表示領域の中央部分を遮蔽し、前記リンク機構が拡径状態に変動すると、前記リンク機構に従動して互いが離散することによって前記集結時の前記所定の形状が変化して、前記表示領域の周縁部に一部が露呈し、
前記リンク機構は、前記複数のリンク部材を連結することにより無端状に形成される第１リンク機構と、当該第１リンク機構と同形の第２リンク機構とを互いに重ね合わせて連結することによって形成され、
前記第１及び第２リンク機構は、それぞれが有する鈍角二等辺三角形状とした前記複数のリンク部材の各鋭角端部同士をそれぞれ枢着することによりそれぞれ形成され、前記第１リンク機構における各前記リンク部材の鈍角端部と前記第２リンク機構における各リンク部材の鈍角端部同士とを重ね合わせて枢着することによって前記リンク機構を形成したことを特徴とする遊技機。
【請求項２】
遊技盤と、遊技状況に応じて各種演出画像を表示可能な表示領域を有する表示装置と、前記表示装置の前記表示領域を遮蔽及び開放可能とするシャッター装置とを備えた遊技機において、
前記シャッター装置は、
複数のリンク部材の連係により環状をなす径方向に拡縮変動可能な無端状のリンク機構と、
前記リンク機構を拡縮変動させる駆動手段と、
前記リンク機構の前面に設けられ、所定の形状をなす複数の遮蔽部材とを含み、
前記複数の遮蔽部材は、前記駆動手段により前記リンク機構が縮径状態に変動すると、前記リンク機構に従動して前記表示領域の中央部分に向けて集結することによって所定の形状を形成して前記表示領域の中央部分を遮蔽し、前記リンク機構が拡径状態に変動すると、前記リンク機構に従動して互いが離散することによって前記集結時の前記所定の形状が変化して、前記表示領域の周縁部に一部が露呈し、
前記駆動手段は、前記遊技盤の後方に設けられるセット部材の前面に設けられるベース部材と、
前記ベース部材に固定されるモータと、
前記ベース部材に枢支され前記モータの回転により回転可能なギヤと、
前記リンク機構の近傍に設けられるレール部材と、
前記レール部材に摺動可能に設けられ、前記リンク機構に連結する摺動部材と、
前記ベース部材に枢支され、前記モータの駆動力を前記摺動部材の直線運動に変換するシーソー部材とを備えることを特徴とする遊技機。
【請求項３】
前記レール部材は、前記リンク機構の中心点を通る鉛直線上の上下に設けられ、
前記摺動部材は、前記レール部材に前記リンク機構の拡縮変動範囲内で上下方向へ摺動可能に設けられるとともに、前記リンク機構の最上部の前記リンク部材同士の連結部及び最下部の前記リンク部材同士の連結部を枢着し、
前記遮蔽部材は、前記リンク機構に設けた前記遮蔽部材の質量が前記リンク機構の中心点を通る水平線を境とした上下均等とするように前記リンク機構の前面に配置されることを特徴とする請求項２記載の遊技機。
【請求項４】
前記遮蔽部材は端部に切欠部を有し、前記シャッター装置が遮蔽状態の際に、前記遮蔽部材が前記表示装置の前記表示領域における中央部分に集結することによって、前記切欠部同士が互いに連設して前記表示装置の前記表示領域の一部を前方から視認可能とする開口部を形成することを特徴とする請求項１〜３のいずれかに記載の遊技機。
【発明の詳細な説明】
【技術分野】
【０００１】
本発明は、遊技機に関する。
【背景技術】
【０００２】
従来、遊技機においては、表示装置の表示領域の遮蔽及び開放を行うシャッター装置として、表示領域の一端及び他端の双方からシャター部材可動手段により、シャッター部材が表示領域を遮蔽及び開放するものがある。また、表示装置の表示領域の横幅とほぼ等しい横幅からなる細長い複数の遮蔽板を上下昇降式ブラインドのように設け、表示領域を遮蔽及び開放するものがある。
【先行技術文献】
【特許文献】
【０００３】
【特許文献１】特開２０１０−１７２７１４号公報
【特許文献２】特開２００４−１３５８８５号公報
【発明の概要】
【発明が解決しようとする課題】
【０００４】
しかし、上記特許文献１及び２に記載されている遊技機においては、表示領域の遮蔽前の状態においてシャッター部材は遊技者から視認出来ないように配置されているため、遮蔽前状態のシャッター装置を効果的に演出することができないという課題があった。
【０００５】
本発明は、上記課題に鑑み、シャッター装置を表示装置の表示領域の遮蔽及び開放するためだけではなく、シャッター装置の開放時(遮蔽前)の態様を一演出態様とし、表示領域に対する遮蔽後の態様と著しく異なるものとすることにより、遊技の嗜好性を高めるようにした遊技機を提供することを目的とする。
【課題を解決するための手段】
【０００６】
(１)遊技盤と、遊技状況に応じて各種演出画像を表示可能な表示領域を有する表示装置と、前記表示装置の前記表示領域を遮蔽及び開放可能とするシャッター装置とを備えた遊技機において、前記シャッター装置は、複数のリンク部材の連係により環状をなす径方向に拡縮変動可能な無端状のリンク機構と、前記リンク機構を拡縮変動させる駆動手段と、前記リンク機構の前面に設けられ、所定の形状をなす複数の遮蔽部材とを含み、前記複数の遮蔽部材は、前記駆動手段により前記リンク機構が縮径状態に変動すると、前記リンク機構に従動して前記表示領域の中央部分に向けて集結することによって所定の形状を形成して前記表示領域の中央部分を遮蔽し、前記リンク機構が拡径状態に変動すると、前記リンク機構に従動して互いが離散することによって前記集結時の前記所定の形状が変化して、前記表示領域の周縁部に一部が露呈し、前記リンク機構は、前記複数のリンク部材を連結することにより無端状に形成される第１リンク機構と、当該第１リンク機構と同形の第２リンク機構とを互いに重ね合わせて連結することによって形成され、前記第１及び第２リンク機構は、それぞれが有する鈍角二等辺三角形状とした前記複数のリンク部材の各鋭角端部同士をそれぞれ枢着することによりそれぞれ形成され、前記第１リンク機構における各前記リンク部材の鈍角端部と前記第２リンク機構における各リンク部材の鈍角端部同士とを重ね合わせて枢着することによって前記リンク機構を形成する。
【０００７】
(２)遊技盤と、遊技状況に応じて各種演出画像を表示可能な表示領域を有する表示装置と、前記表示装置の前記表示領域を遮蔽及び開放可能とするシャッター装置とを備えた遊技機において、前記シャッター装置は、複数のリンク部材の連係により環状をなす径方向に拡縮変動可能な無端状のリンク機構と、前記リンク機構を拡縮変動させる駆動手段と、前記リンク機構の前面に設けられ、所定の形状をなす複数の遮蔽部材とを含み、前記複数の遮蔽部材は、前記駆動手段により前記リンク機構が縮径状態に変動すると、前記リンク機構に従動して前記表示領域の中央部分に向けて集結することによって所定の形状を形成して前記表示領域の中央部分を遮蔽し、前記リンク機構が拡径状態に変動すると、前記リンク機構に従動して互いが離散することによって前記集結時の前記所定の形状が変化して、前記表示領域の周縁部に一部が露呈し、前記駆動手段は、前記遊技盤の後方に設けられるセット部材の前面に設けられるベース部材と、前記ベース部材に固定されるモータと、前記ベース部材に枢支され前記モータの回転により回転可能なギヤと、前記リンク機構の近傍に設けられるレール部材と、前記レール部材に摺動可能に設けられ、前記リンク機構に連結する摺動部材と、前記ベース部材に枢支され、前記モータの駆動力を前記摺動部材の直線運動に変換するシーソー部材とを備える。
【０００８】
上記(１)及び(２)の構成によれば、表示領域の中央部分を遮蔽または開放することが可能となるため、表示領域を上下または左右からの直線的に遮蔽及び開放する動作とは異なり、表示領域を中心として上下左右の２次元の複数方向から求心的に遮蔽、または離心的に開放作動が可能となり、ダイナミックな演出態様によって遊技の嗜好性を高めることができる。
【０００９】
また、所定の形状をなす遮蔽部材は、シャッター装置が表示領域を遮蔽する際、表示領域の中央部分に向けて集結することによって遮蔽部材単体とは異なる所定の形状に変化して表示装置の表示領域の中央部分を遮蔽し、シャッター装置が表示領域を開放する際、互いが離散することによって集結時の所定の形状が崩れて、複数の遮蔽部材の一部が表示領域の周縁部から露呈されるとともに表示領域の中央部分を開放する。即ち、単に、表示装置の表示領域を遮蔽及び開放するだけでなく、表示領域の遮蔽時態様と開放時態様とを著しく異ならせることによって、効果的な演出態様を示すことが可能となる。
【００１０】
上記(１)の構成によれば、リンク部材の端部同士を連結して形成された２つの無端状のリンク機構を重ね合わせて連結することによって、簡単な構成でリンク機構を拡縮変形させることが可能となる。
また、リンク部材を三角形状とすることにより、リンク部材自体を強固に形成することができるとともに、端部同士が重ね合う連結部の摺動面積を小とすることができ、摩擦係数を低減することによって、リンク機構を円滑に作動させることが可能となる。
【００１１】
上記(２)の構成によれば、モータの駆動力をギヤ、シーソー部材及びレール部材を摺動可能な摺動部材を介してリンク機構へ伝達し、リンク機構を拡縮作動させることができる。
【００１２】
(３)上記(２)項において、前記レール部材は、前記リンク機構の中心点を通る鉛直線上の上下に設けられ、前記摺動部材は、前記レール部材に前記リンク機構の拡縮変動範囲内で上下方向へ摺動可能に設けられるとともに、前記リンク機構の最上部の前記リンク部材同士の連結部及び最下部の前記リンク部材同士の連結部を枢着し、前記遮蔽部材は、前記リンク機構に設けた前記遮蔽部材の質量が前記リンク機構の中心点を通る水平線を境とした上下均等とするように前記リンク機構の前面に配置される。
【００１３】
上記構成によれば、リンク機構に設ける遮蔽部材の質量を、リンク機構の中心点を通る水平線を境とした上下均等としたことにより、上部の遮蔽部材と下部の遮蔽部材の質量が相殺され、リンク部材の最上部の連結部(摺動部材)に掛かる負荷及びリンク部材の最下部の連結部(摺動部材)に掛かる負荷は、ほぼリンク部材同士の枢着部分の摩擦抵抗力のみとなる。即ち、遮蔽部材の質量に係わらず、遮蔽部材を設けるリンク機構を軽力で作動可能となるため、リンク機構をダイナミックに作動させることができ、遊技の嗜好性を高めることが可能となる。
【００１４】
(４)上記(１)〜(３)項のいずれかにおいて、前記遮蔽部材は端部に切欠部を有し、前記シャッター装置が遮蔽状態の際に、前記遮蔽部材が前記表示装置の前記表示領域における中央部分に集結することによって、前記切欠部同士が互いに連設して前記表示装置の前記表示領域の一部を前方から視認可能とする開口部を形成する。
【００１５】
上記構成によれば、遮蔽部材は、シャッター装置が遮蔽状態になる際に、表示装置の表示領域の一部が視認可能な開口部が形成されることによって、遊技者の視点を開口部から視認可能な表示領域に誘導することが可能となる。
【発明の効果】
【００１９】
本発明によれば、シャッター装置を表示装置の表示領域の遮蔽及び開放するためだけではなく、シャッター装置の開放時(遮蔽前)の態様を一演出態様とし、表示領域に対する遮蔽後の態様と著しく異なるものとすることにより、遊技の嗜好性を高めることができる。
【図面の簡単な説明】
【００２０】
【図１】本発明のシャッター装置が開放状態にある遊技機の正面図である。
【図２】同じくシャッター装置が遮蔽状態にある遊技機の正面図である。
【図３】同じく遊技機の要部の分解斜視図である。
【図４】同じくシャッター装置の開放状態の正面図である。
【図５】同じくシャッター装置の遮蔽状態の正面図である。
【図６】同じくシャッター装置の要部であるリンク部材の拡径状態の正面図である。
【図７】同じくシャッター装置の要部であるリンク部材の縮径状態の正面図である。
【図８】本発明のシャッター装置の変形例の遮蔽部材を備えるリンク部材の拡径状態の正面図である。
【図９】本発明のシャッター装置の変形例の遮蔽部材を備えるリンク部材の縮径状態の正面図である。
【図１０】本発明のシャッター装置の変形例の遮蔽部材を備えるリンク部材の縮径状態の正面図である。
【発明を実施するための形態】
【００２１】
以下、本発明の一実施形態を、図面に基いて説明する。なお、以下の説明では、図１及び２、４〜１０において紙面手前側、図３において下方を遊技機の「前方」とし、図１及び２、４〜１０において紙面奥側、図３において上方を遊技機の「後方」とし、図１及び２、４〜１０において左方、図３において下方を遊技機の「左方」とし、図１及び２、４〜１０において右方、図３において上方を遊技機の「右方」とする。
図１及び２に示すように、遊技機１は、遊技施設に備え付けられる縦長矩形の外枠２と、外枠２に内枠(図示省略)を介して支持される遊技盤３と、遊技盤３の後方に設けられ、遊技状況に応じて各種演出画像を表示する表示装置である液晶表示装置４と、図１及び２に示すように、液晶表示装置４の前方に設けられ液晶表示装置４の表示領域４ａを遮蔽及び開放可能なシャッター装置５と、中央の円形の開口部６ａにガラス板６ｂが嵌め込まれるガラス枠６ｃを含み、外枠２の左側部に上下方向のヒンジ軸(図示省略)により開閉自在に支持される前扉６とを備え、遊技機１の前面の下右部に設けられたハンドル７を時計方向に回転することにより、前扉６の下方に設けられた球貯留皿８に貯留されている遊技球が発射装置(図示省略)から遊技盤３の前面に設けた円形の遊技領域９に打ち込まれて所定の遊技が行われる。
【００２２】
液晶表示装置４は、図３に示すように遊技盤３の後方に設けられるセット部材１１の背面に、セット部材１１に設けた開口部１２及び遊技盤３における遊技領域９の正面中央に設けられる矩形の表示窓９ａを透して前方から視認可能に配置される。液晶表示装置４の下方には、図１及び２に示すように遊技領域９に打ち込まれた遊技球が入賞可能な始動入賞口１０ａが設けられ、さらに始動入賞口１０ａの下方には後述する特別遊技状態の際に、開口して遊技領域９に打ち込まれる遊技球を入賞可能とする大入賞口１０ｂを設けられる。さらに、遊技領域９には、遊技領域９から遊技球を排出するための排出口１０ｃ、多数の釘(図示省略)、及びレール(図示省略)等が配置される。
【００２３】
遊技領域９に打ち込まれた遊技球が始動入賞口１０ａに入賞すると、内枠(図示省略)の裏側に設けられた主制御部(図示省略)により乱数抽選が行われるとともに、液晶表示装置４の表示領域４ａにおいて例えば３つの数字やキャラクタ等からなる演出図柄の変動表示が開始される。そして、乱数抽選の結果大当りの場合には、先ず、２つの演出図柄を先に停止させ、既に停止表示されている表示結果が当たり図柄(同一の図柄)の組み合わせ(大当たり図柄の組み合わせ)となる条件を満たすリーチ状態を経て、全演出図柄停止時における図柄の組合せが予め定められた所定パターン(例えば「７、７、７」)が表示され、大入賞口１０ｂが所定の条件で開閉制御されて遊技者にとって有利な大当り遊技状態(特定遊技状態)となる。また、前述した乱数抽選によって大当り値が選択される確率(前記所定パターンが表示させる確率)は低確率時(例えば確率３００分の１)と高確率時(例えば確率５０分の１)と複数存在する。この高確率時は確率変動状態や確変状態と称され、この確率変動態の抽選演出態様は、大当たり遊技状態終了後に液晶表示装置４の表示領域４ａに演出表示される。
【００２４】
シャッター装置５は、遊技盤３とセット部材１１との間に配置され、液晶表示装置４の表示領域４ａを、前方から視認不能とする図２及び５に示す遮蔽状態と、視認可能とする図１及び４に示す開放状態とに変形可能である。
【００２５】
図４及び５に示すように、シャッター装置５は、複数のリンク部材２２１を、液晶表示装置４の中心点Ｏの周方向に端部同士を互いに枢着して連係することにより環状に形成される拡縮変形可能な無端状のリンク機構２２と、リンク機構２２を拡径状態と縮径状態に変形させる上下の駆動手段１４、１４と、リンク部材２２１の前面の適所に設けられ単体の形状がハート型の複数の遮蔽部材２３を備える。
【００２６】
上下の駆動手段１４、１４は、セット部材１１の前面に液晶表示装置４の中心点Ｏの点対称としてリンク機構２２の上下に配置されるとともに、セット部材１１の前面に設けられるベース部材１５、１５と、ベース部材１５、１５にねじ止めされる動力源のモータ１６、１６と、ベース部材１５、１５に前後方向へ向く枢軸１７ａ、１７ａにより枢支されモータ１６、１６の回転により回転可能なギヤ１７、１７と、ベース部材１５、１５における液晶表示装置４の中心点Ｏを通る鉛直線Ｌ１上に設けられる上下方向のレール部材１８、１８と、レール部材１８、１８に上下方向に摺動可能に設けられ、リンク機構２２に連係される摺動部材１９、１９と、ベース部材１５、１５に中心から若干ギヤ１７、１７よりの位置で偏心状態で前後方向へ向く枢軸２０ａ、２０ａに枢支され、ギヤ１７、１７に連結されるギヤ側端部２０ｂ、２０ｂ及び摺動部材１９、１９に連結されるレール部材側端部２０ｃ、２０ｃを有し、モータ１６、１６の駆動力を摺動部材１９、１９の直線運動に変換するシーソー部材２０、２０とを備える。
【００２７】
レール部材１８、１８に摺動可能に設けられる摺動部材１９、１９は、前後方向へ向く連係ピン１９ａ、１９ａによってシーソー部材２０のレール部材側端部２０ｃ、２０ｃに枢着されるとともに、枢着されたレール部材側端部２０ｃ、２０ｃより径方向の内側(上部のレール部材１８の下側、下部のレール部材１８の上側)に、前後方向へ向く連係ピン１９ｂ、１９ｂによってリンク機構２２の後述する最上部の連結部Ｐ及び最下部の連結部Ｑを枢支する。
【００２８】
シーソー部材２０、２０は上底と下底が平行の台形をなしており、ギヤ側端部２０ｂ、２０ｂには、該端部が開口し、上部のシーソー部材２０の下底、及び下部のシーソー部材２０の上底に沿って穿設される切欠部２０１、２０１に、ギヤ１７、１７の前方へ突出する連係ピン１７ｂ、１７ｂが摺動可能に係合されている。
【００２９】
ギヤ側端部２０ｂ、２０ｂの対向端部のレール部材側端部２０ｃ、２０ｃには、上部のシーソー部材２０の上底、及び下部のシーソー部材２０の下底に沿って穿設される長孔２０２、２０２に、摺動部材１９、１９に設けられる前後方向へ向く連係ピン１９ａ、１９ａが摺動可能に係合されている。
【００３０】
シーソー部材２０、２０は、シャッター装置５が開放状態の際に、切欠部２０１、２０１の長手方向が左右にほぼ水平状態に保持され、かつギヤ１７、１７の連係ピン１７ｂ、１７ｂが真上または真下に位置するように設定される。この水平状態の切欠部２０１、２０１に連係ピン１７ｂ、１７ｂを係止することによって、第１リンク機構２２Ａの自重(遮蔽部材の質量を含む)によるギヤ１７、１７の回動を防止してシーソー部材２０及び摺動部材１９が作動しないため、上部の摺動部材１９が下方へ移動してシャッター装置５が開放状態のままに保持される。
【００３１】
なお、上下の駆動手段１４、１４は、互いの動作が同期するように制御手段(図示省略)によって制御され、上部の摺動部材１９がレール部材１８に沿って下方へ移動すると下部の摺動部材１９がレール部材１８に沿って上方へ移動し、上部の摺動部材１９がレール部材１８に沿って上方へ移動すると下部の摺動部材１９がレール部材１８に沿って下方へ移動するように設定される。
【００３２】
前述の駆動手段１４を備えるシャッター装置５は、図４に示すように、上部の摺動部材１９が、上部のレール部材１８の上端部に位置し、かつ下部の摺動部材１９が下部のレール部材１８の下端部に位置した状態の際に、リンク機構２２が全開位置となるように設定され、ハート型の各遮蔽部材２３が液晶表示装置４の表示領域４ａの周縁に一部が露呈するように互いが離間して配置されることによって、液晶表示装置４の表示領域４ａの中央部分を前方から視認可能とする。
【００３３】
また、図５に示すように、上部の摺動部材１９が、上部のレール部材１８の下端部に位置し、かつ下部の摺動部材１９が下部のレール部材１８の上端部に位置した状態の際に、リンク機構２２が全閉位置となるように設定され、各遮蔽部材２３がリンク機構２２の中心に集結し所定の形状であるほぼ花形を形成し、液晶表示装置４の表示領域４ａの前面を覆うことによって、液晶表示装置４の表示領域４ａの中央部分を前方から視認不能とする。
【００３４】
図６及び７に示すように、リンク機構２２は、合成樹脂で形成された鈍角二等辺三角形状の複数のリンク部材２２１の各鋭角端部２２５、２２５同士を、連係ピン２２４によって枢着することにより無端状に形成される第１リンク機構２２Ａと、同じく複数のリンク部材２２１の各鋭角端部２２５、２２５同士を、連係ピン２２４によって枢着するとともに、当該各リンク部材２２１の鈍角端部２２６と、第１リンク機構２２Ａの各リンク部材２２１の鈍角端部２２６とを連係ピン２２３によって枢着して連係する第１リンク機構２２Ａと同形の第２リンク機構２２Ｂとにより拡縮変形可能に形成される。リンク機構２２は拡縮変形可能とすることに加えて、振動装置(図示省略)に連係されて振動可能としてもよい。
【００３５】
第１及び２リンク機構２２Ａ、２２Ｂは、各リンク部材２２１同士の連係ピン２２４を線で結ぶと、図６における２点鎖線によって示されるように、各リンク部材２２１の鋭角端部２２５の連結部が角をなす正５／２角形（星形正五角形）をなしている。第１リンク機構２２Ａの任意の突出する連結部Ｐを最上部に、第２リンク機構２２Ｂの任意の突出する連結部Ｑを最下部に位置するようにして、第１及び２リンク機構２２Ａ、２２Ｂを重合させて、互いの各鈍角端部２２６同士を連係ピン２２３によって枢着することにより、拡縮変形可能なリンク機構２２が形成される。
【００３６】
なお、最上部の連結部Ｐ及び最下部の連結部Ｑの各リンク部材２２１は連係ピン２２４、２２４によって枢着されておらず、前述の摺動部材１９、１９の連係ピン１９ｂ、１９ｂによって枢着されるとともに、摺動部材１９にそれぞれ枢支される。
【００３７】
リンク機構２２の拡径変形する際の変動範囲は、前述の図６における２点鎖線に示す正５／２角形から正５角形にならない範囲内に規制される。リンク機構２２に連係した摺動部材１９の摺動範囲を制限することにより変動範囲を規制することが可能となる。なお、第１及び２リンク機構２２Ａ、２２Ｂは、前述した正５／２角形に限定されることはない。
【００３８】
遮蔽部材２３は、発光部材(図示省略)が内蔵され前面が半透光性の合成樹脂性のハート型をなしており、リンク機構２２が拡径状態の際に、５個の遮蔽部材２３の一部が液晶表示装置４の表示領域４ａの周縁部分に露呈し、液晶表示装置４の表示領域４ａの中央部分を前方から視認可能とした第１演出態様と、リンク機構２２が縮径状態の際に、５個の遮蔽部材２３がハート型の頂点部２３ａを中心に集結することによって正面視ほぼ花形を形成し、液晶表示装置４の表示領域４ａの中央部分を覆い隠す第２演出態様とをなすように、各リンク部材２２１の前面に、リンク機構２２における周回りに等間隔で設けられる。シャッター装置５の発光部材(図示省略)は、シャッター装置５の変動態様に応じて点灯または点滅をするように制御手段(図示省略)によって制御される。
【００３９】
また、遮蔽部材２３は、リンク機構２２に設けられる際の各遮蔽部材２３の質量のバランスを、液晶表示装置４の中心点Ｏを通る水平線Ｌ２を境とした上下均等としているため、上部の遮蔽部材２３と下部の遮蔽部材２３の質量が相殺され、リンク機構２２の最上部の連結部Ｐ(上側の摺動部材１９)に掛かる負荷及びリンク機構２２の最下部の連結部Ｑ(下側の摺動部材１９)に掛かる負荷は、ほぼリンク部材２２１同士の枢着部分の摩擦抵抗力のみとなる。これにより、モータ１６の駆動時に掛かる負荷は、遮蔽部材２３の質量が増加してもほぼ変化はなく軽微なものであり、リンク機構２２をダイナミックに作動させることが可能となる。
【００４０】
シャッター装置５の開放状態、即ち、遮蔽部材２３の第１演出態様から、シャッター装置５の遮蔽状態、即ち、遮蔽部材２３の第２演出態様へ変動、またはその逆に変動させるタイミングは様々であるが、次に、一例として演出図柄がリーチ状態時におけるシャッター装置５の変動態様を示す。
【００４１】
シャッター装置５は、通常の遊技状態においては図６に示す開放状態をなしており、遊技球が始動入賞口１０ａに入賞し、液晶表示装置４の表示領域４ａにリーチ演出が表示される場合、制御手段(図示省略)の制御信号によって上下のモータ１６、１６が作動し、上下のギヤ１７、１７が時計回りに回転するとともに、上下のギヤ１７、１７の連係ピン１７ｂ、１７ｂが上下のシーソー部材２０、２０の切欠部２０１、２０１内を摺動しながら係合することによって、図７に示すように、上部のシーソー部材２０におけるギヤ側端部２０ｂが上方、下部のシーソー部材２０におけるギヤ側端部２０ｂが下方へ変位し、枢軸２０ａ、２０ａを中心に上部のレール部材側端部２０ｃが下方、下部のレール部材側端部２０ｃが上方に回動し、上部の摺動部材１９は、リンク機構２２の最上部の連結部Ｐとともに下方に摺動し、下部の摺動部材１９は、リンク機構２２の最下部の連結部Ｑとともに上方に摺動する。上下の摺動部材１９、１９の摺動に伴って、リンク機構２２を縮径変形させ、各遮蔽部材２３が第１演出態様となるように配置されることによって液晶表示装置４の表示領域４ａの中央部分に表示されているリーチ状態の演出図柄を遮蔽することができる。
【００４２】
表示領域４ａの中央部分を遮蔽した状態において、演出図柄の変動表示が停止すると、再び制御手段(図示省略)制御信号によって、上下のモータ１６、１６により上下のギヤ１７、１７が時計回りに回転させられ、上下のシーソー部材２０、２０及び摺動部材１９、１９がそれぞれ前述とは逆方向に作動して、リンク機構２２を拡径変形させて、各遮蔽部材２３が第２演出態様となるように配置されることによって表示領域４ａの中央部分を前方から視認可能な状態に開放する。開放された表示領域４ａの演出図柄を視認した遊技者は大当たりかハズレかを確認することが可能となる。
【００４３】
前述のように、シャッター装置５の表示領域４ａを開放及び遮蔽状態にする演出態様は、リーチ状態時だけに限られることはなく、通常遊技時において出現確率が低いプレミアム演出として、また大当たり遊技状態終了後の確率変動抽選演出時等に適用してもよい。
【００４４】
以上、本発明の一実施形態について説明したが、本発明の要旨を逸脱しない範囲内で、本実施形態に対して、次のような種々の変形や変更を施すことが可能である。なお、以下(iii)及び(iv)は図８〜１０に示す遮蔽部材に係る変形例であり、遮蔽部材２４、２５以外の構成は上記の一実施形態と同一であるため、共通の構成要素は同一の符号を付す。
【００４５】
(ｉ)  シャッター装置５のリンク機構２２及びリンク機構に取付けられる遮蔽部材２３を振動装置(図示省略)によって振動させる。この振動演出、表示領域４ａを開放及び遮蔽状態にする演出態様、及び表示領域４ａに表示される数字やキャラクター等の図柄の変動表示演出態様等を組合せることにより、様々なパターン演出を行うことができ、遊技の嗜好性を向上させることができる。
【００４６】
(ii)  第１及び２リンク機構２２Ａ、２２Ｂは、正７／２、３角形(図示省略)や正９／２〜４角形(図示省略)でもよく、各リンク部材２２１同士の鋭角端部２２５の突出する連結部の数が奇数の星形多角形であって、かつ互いが同形であればよい。
【００４７】
(iii)  図８及び９に示すように、遮蔽部材２４を扇状とし、内周側に切欠部２４ａを設けることによって、第２演出態様の際に、各遮蔽部材２４が集結して表示領域４ａの中心部付近の一部を露呈する円形の開口部２４１を有する１つのドーナツ形が形成される。開口部２４１が形成されることによって、表示領域４ａの一部を効果的に視認させることが可能となり、演出の効果を高め遊技の嗜好性を向上させることができる。
【００４８】
(iv)  図１０に示すように、各遮蔽部材２５は、第２演出態様の際、互いに干渉しないように、各遮蔽部材２５の隣設する部分を前後に重合するようにして互いを集結させるように設定される。各遮蔽部材２５を重合させるには、隣設する遮蔽部材２５を前後にずらすようにリンク部材２２１に配置したり、各遮蔽部材２５の重合部のそれぞれの対向面に遮蔽部材２５の厚み方向へ切欠いた切欠部(図示省略)同士を重合させる等が考えられる。このように重合させることによって、重合しないときの第２演出態様とは異なる演出態様を示すことができ、演出態様のバリエーションが増え遊技の嗜好性を向上させることができる。
【００４９】
なお、遮蔽部材については上記の形態のみに限定はされず、例えば個数、素材、形状、リンク機構２２への取付け位置等を変更することが可能であり、それらを組合せて変更することによって、従来のものとは全く異なる演出態様が可能なシャッター装置５を他の機種にも適用することができる。
【符号の説明】
【００５０】
１  遊技機
２  外枠
３  遊技盤
４  液晶表示装置
４ａ  表示領域
５  シャッター装置
６  前扉
６ａ  開口部
６ｂ  ガラス板
６ｃ  ガラス枠
７  ハンドル
８  球貯留皿
９  遊技領域
９ａ  表示窓
１０ａ  始動入賞口
１０ｂ  大入賞口
１０ｃ  排出口
１１  セット部材
１２  開口部
１４  駆動手段
１５  ベース部材
１６  モータ
１７  ギヤ
１７ａ  枢軸
１７ｂ  係合ピン
１８  レール部材
１９  摺動部材
２０  シーソー部材
２０ａ  枢軸
２０ｂ  ギヤ側端部
２０ｃ  レール部材側端部
２２  リンク機構
２２Ａ、Ｂ  第１、第２リンク機構
２３  遮蔽部材
２３ａ  頂点部
２４  遮蔽部材
２４ａ  切欠部
２５  遮蔽部材
２０１  切欠部
２０２  長孔
２２１  リンク部材
２２３  連係ピン
２２４  連係ピン
２２５  鋭角端部
２２６  鈍角端部
２４１  開口部
Ｌ１  鉛直線
Ｌ２  水平線
Ｏ  中心点
Ｐ、Ｑ  頂点
【図１】
0005647013.tif 000002
【図２】
0005647013.tif 000003
【図３】
0005647013.tif 000004
【図４】
0005647013.tif 000005
【図５】
0005647013.tif 000006
【図６】
0005647013.tif 000007
【図７】
0005647013.tif 000008
【図８】
0005647013.tif 000009
【図９】
0005647013.tif 000010
【図１０】
0005647013.tif 000011